(57)【要約】      （修正有）【課題】無線通信機能を利用しない場合に、無線通信機能に関するボタンの誤操作が発生しないデジタルカメラを提供する。【解決手段】デジタルカメラ１の側面に設置されたアンテナカバー部材３１はアンテナ２４が実装された無線基板３２を内蔵し、上下に移動させることができる。アンテナカバー部材３１を無線使用位置に移動させると、デジタルカメラ１の側面に位置する無線ボタン１３ａが露出すると同時に、移動検知回路によりアンテナカバー部材３１の移動が検知される。これにより、制御回路はアクセスポイントの探索を開始する。アクセスポイントが見つかると、制御回路は、デジタルカメラ１が撮影画像の再生中か否かに応じて異なる処理を実行する。【選択図】図３
2010093483.tif 000002
【特許請求の範囲】
【請求項１】
無線通信に用いられるアンテナと、
前記アンテナが設けられた可動部材であって、少なくとも第１の位置と第２の位置とに移動させることが可能な可動部材と、
前記無線通信と関連する操作に用いられる操作部材と、
を有するデジタルカメラであって、
前記操作部材は、前記可動部材が前記第１の位置にあるときには前記可動部材により遮蔽され操作不可能であり、前記可動部材が前記第２の位置にあるときには前記可動部材により遮蔽されず操作可能であることを特徴とするデジタルカメラ。
【請求項２】
請求項１に記載のデジタルカメラにおいて、
記録媒体に記録されている撮影画像を再生する再生手段と、
前記再生手段が再生した撮影画像を表示する表示手段と、
前記アンテナを用いた無線通信により、所定の撮影画像を送信する送信手段とをさらに備え、
前記送信手段は、前記再生手段が撮影画像の再生中の場合、前記操作部材の操作に応じて、前記再生手段が再生中の撮影画像を無線通信により送信することを特徴とするデジタルカメラ。
【請求項３】
請求項２に記載のデジタルカメラにおいて、
前記可動部材が前記第２の位置に移動したことを検知する移動検知手段と、
前記移動検知手段による検知に応じて、前記アンテナを用いた無線通信に関連する所定の処理を実行する制御手段と、
をさらに備えることを特徴とするデジタルカメラ。
【請求項４】
請求項３に記載のデジタルカメラにおいて、
前記アンテナを用いた無線通信の通信先を探索する探索手段をさらに備え、
前記制御手段は、前記移動検知手段による検知に応じて、前記所定の処理として前記探索手段に通信先を探索させることを特徴とするデジタルカメラ。
【請求項５】
請求項３に記載のデジタルカメラにおいて、
前記制御手段は、前記再生手段が撮影画像の再生中の場合、前記移動検知手段による検知に応じて、前記所定の処理として、撮影画像の送信先を問い合わせる画面を前記表示手段に表示させることを特徴とするデジタルカメラ。
【請求項６】
請求項３に記載のデジタルカメラにおいて、
前記制御手段は、前記再生手段が撮影画像の再生中ではない場合、前記移動検知手段による検知と前記デジタルカメラの撮影操作とに応じて、前記所定の処理として、前記撮影操作により作成された撮影画像を前記送信手段により送信するか否かを問い合わせる画面を前記表示手段に表示させることを特徴とするデジタルカメラ。
【発明の詳細な説明】
【技術分野】
【０００１】
本発明は、無線通信機能を有するデジタルカメラに関する。
【背景技術】
【０００２】
デジタルカメラには、電波を用いた無線通信機能を有するものが存在する。一般に、無線通信機能を有するカメラには、無線通信機能を呼び出すための操作部材が設けられている。このようなカメラの例としては、特許文献１に示す、無線通信に関わる操作を行うための操作ボタンが３つ設けられているカメラが挙げられる。このカメラでは、上記の操作ボタンを押下すると、例えば無線通信情報が表示されたり、撮影画像が無線通信により送信されたりする。
【０００３】
【特許文献１】特開２００６−２３８０１８号公報
【発明の開示】
【発明が解決しようとする課題】
【０００４】
特許文献１に示したカメラは、無線通信に関する操作を行うための操作ボタンを、カメラ背面に常時操作可能な形で設けている。そのため、ユーザが無線通信機能を利用したくない場合であっても、無線通信機能に関するボタンを誤って操作してしまう可能性があった。
【課題を解決するための手段】
【０００５】
請求項１に係る発明は、無線通信に用いられるアンテナと、前記アンテナが設けられた可動部材であって、少なくとも第１の位置と第２の位置とに移動させることが可能な可動部材と、前記無線通信と関連する操作に用いられる操作部材と、を有するカメラであって、前記操作部材は、前記可動部材が前記第１の位置にあるときには前記可動部材により遮蔽され操作不可能であり、前記可動部材が前記第２の位置にあるときには前記可動部材により遮蔽されず操作可能であることを特徴とするデジタルカメラである。
【発明の効果】
【０００６】
本発明によれば、無線通信機能を利用しない場合に、無線通信機能に関するボタンが操作されることを防止することができる。
【発明を実施するための最良の形態】
【０００７】
――第１の実施の形態――
図面を用いて、本発明の一実施の形態によるデジタルカメラについて説明する。この実施の形態のデジタルカメラは無線ＬＡＮ通信用のアンテナを有し、特定のサーバあるいはメールアドレスに対して撮影画像を送信することができる。
【０００８】
図１は、本実施の形態によるデジタルカメラの回路構成を示すブロック図である。デジタルカメラ１は、入力装置１３，焦点調節装置１４，撮像素子１５，制御回路１６，ＤＲＡＭ１７，フラッシュメモリ１８，液晶モニタ２０，メモリカードインタフェース（Ｉ／Ｆ）２１，通信回路２３，アンテナ２４，および移動検知回路２５を備える。
【０００９】
撮像素子１５は、画素に対応する複数の光電変換素子を備えたＣＣＤやＣＭＯＳイメージセンサによって構成される。撮像素子１５は、撮像面上に結像されている被写体像を撮像し、被写体像の明るさに応じた光電変換信号（画像信号）を出力する。撮像素子１５の撮像面には、それぞれＲ（赤）、Ｇ（緑）およびＢ（青）のカラーフィルタが画素位置に対応するように設けられている。撮像素子１５がカラーフィルタを通して被写体像を撮像するため、各撮像素子から出力される画像信号は、それぞれＲＧＢ表色系の色情報を有する。
【００１０】
撮像素子１５から出力された画像信号は制御回路１６に入力される。制御回路１６は、画像信号に対して種々の画像処理を行い、画像データを生成する。そして、制御回路１６は生成された画像データに対してＪＰＥＧなどの所定の方式により圧縮処理を行い、ＥＸＩＦなどの形式で記録媒体２２へ記録する。制御回路１６は、たとえばＲＩＳＣなどで構成され、図１に示す各回路を制御する。
【００１１】
焦点調節装置１４は、撮像素子１５から出力される撮像信号に基づいて周知の焦点評価値演算を行い、演算結果を制御回路１６へ出力する。制御回路１６は、上記演算結果に基づいて、焦点評価値が最大となる位置へ撮影レンズ１０を移動する。
【００１２】
ＤＲＡＭ１７は、画像処理、画像圧縮処理および表示用画像データ作成処理の途中や処理後のデータを一時的に格納するために使用される。表示用画像データは、制御回路１６が撮像素子１５からの出力に基づいて生成した画像データ、もしくは記録媒体２２に記録されている画像データに基づいて、制御回路１６により生成される。生成された表示用画像データは、制御回路１６によりＤＲＡＭ１７に格納される。フラッシュメモリ１８は、たとえば制御回路１６が演算を行なうための各種の処理プログラムが記憶された不揮発性メモリである。
【００１３】
ＬＣＤ駆動回路１９は制御回路１６の命令に基づいて液晶モニタ２０を駆動し、液晶モニタ２０は画像を表示する。また、液晶モニタ２０は、デジタルカメラの各種設定メニュー画面の表示を行なう。入力装置１３は、レリーズボタンや再生ボタン、無線ボタンなどの種々の操作ボタンを含み、使用者による各操作ボタンの操作信号を制御回路１６へ出力する。
【００１４】
通信回路２３は無線ＬＡＮ通信機能を備えた通信回路であり、アンテナ２４を用いて所定のアクセスポイントとの無線ＬＡＮ通信を行う。移動検知回路２５は、後述するアンテナカバー部材が無線使用位置に移動したことを検知し、制御回路１６へ検知信号を出力する。
【００１５】
次に、デジタルカメラ１が備えるアンテナカバー部材について説明する。デジタルカメラ１は金属製の外装に覆われている。外装の内側にアンテナを設置した場合、外装により電波が減衰したり、外装に反射した電波が雑音となったりするため、無線ＬＡＮ通信が阻害される可能性がある。そこで、本発明では、アンテナを本体に取り付けられたアンテナカバー部材に設置し、アンテナカバー部材を可動とすることで、アンテナ使用時にはアンテナが金属製の外装に接しない構成とした。
【００１６】
図２は、アンテナカバー部材が収納位置にある状態のデジタルカメラ１の外観図である。デジタルカメラ１の側面にはアンテナカバー部材３１が設置されている。また、アンテナカバー部材３１の内部には無線基板３２が設置され、無線基板３２の表面にはアンテナ２４が実装されている。アンテナカバー部材３１は、デジタルカメラ１の外装とは異なり、樹脂等の非導通部材により構成される。従って、アンテナカバー部材３１はアンテナ２４による無線ＬＡＮ通信を妨げない。
【００１７】
アンテナ２４は指向性を有し、無線基板３２のアンテナ２４が実装されている側の表面へ向けて電波の送受信を行う。なお、本発明はアンテナの種類、指向性の有無、および取付方向を問わず適用することができる。また、アンテナカバー部材３１を、無線ＬＡＮ通信を妨げない範囲で一部のみ非導通部材とし、残りの範囲を導通部材としてもよい。
【００１８】
アンテナカバー部材３１は、デジタルカメラ１の上下方向へ垂直に移動させることができる。アンテナカバー部材３１の下方向への移動は、図２に示した収納位置までしか行うことができない。また、アンテナカバー部材３１の上方向への移動は、後述する無線使用位置までしか行うことができない。アンテナカバー部材３１が無線使用位置にないとき、デジタルカメラ１の無線ＬＡＮ通信機能を利用することはできない。すなわち、アンテナカバー部材３１が無線使用位置にないときには、通信回路２３は不活性状態となっている。
【００１９】
図３は、アンテナカバー部材３１が無線使用位置にある状態のデジタルカメラ１の外観図である。アンテナカバー部材３１が無線使用位置にあるとき、無線使用位置にない場合と比べ、アンテナ２４はデジタルカメラ１の外装からより離れた場所に位置している。
【００２０】
アンテナカバー部材３１を無線使用位置に移動させると、デジタルカメラ１の側面に位置する無線ボタン１３ａが露出する。無線ボタン１３ａは、デジタルカメラ１の無線ＬＡＮ通信機能に関連する操作に用いられる操作ボタンである。アンテナカバー部材３１が無線使用位置にない場合、無線ボタン１３ａはアンテナカバー部材３１により遮蔽されている。従って、無線ボタン１３ａを押下することはできない。
【００２１】
アンテナカバー部材３１が無線通信位置に移動すると、移動検知回路２５はこの移動を検知し、制御回路１６へ移動検知信号を出力する。移動検知信号を受信した制御回路１６は、無線通信に関連する所定の処理の実行を開始する。
【００２２】
図４は、アンテナカバー部材３１の移動機構を示す断面図である。図４（ａ）はデジタルカメラ１を正面から見た図、図４（ｂ）は上面から見た図である。アンテナカバー部材３１はガイドレール４３を備える。ガイドレール４３にはスライダー４１が嵌合されており、スライダー４１は留め具４２ａ，４２ｂによりデジタルカメラ１の外装に固定されている。アンテナカバー部材３１は上記の機構により、収納位置から無線使用位置まで移動可能となっている。
【００２３】
ガイドレール４３の下端には凸部４５が存在する。アンテナカバー部材３１が無線使用位置まで移動したとき、凸部４５は移動検知スイッチ４４を押下する。移動検知回路２５は、移動検知スイッチ４４の押下によって、アンテナカバー部材３１が無線使用位置まで移動したことを検知する。
【００２４】
デジタルカメラ１の外装にはバネを備えたストッパー４６が設けられている。ストッパー４６は、アンテナカバー部材３１が収納位置にあるときにはアンテナカバー部材３１に設けられた凹部４７ａに嵌合する。また、ストッパー４６は、アンテナカバー部材３１が無線使用位置にあるときにはアンテナカバー部材３１に設けられた凹部４７ｂに嵌合する。このストッパー４６により、アンテナカバー部材３１は収納位置および無線使用位置に固定される。
【００２５】
次に、アンテナカバー部材３１を移動させたことによりデジタルカメラ１が実行する処理について、図５を用いて説明する。図５は、液晶モニタ２０に表示される画面の例を示す図である。
【００２６】
デジタルカメラ１のユーザは、無線ＬＡＮ通信を行わない場合には、アンテナカバー部材３１を収納位置に固定させてデジタルカメラ１を利用する。無線ＬＡＮ通信を実行する際には、ユーザによりアンテナカバー部材３１が無線使用位置まで移動される。前述の通り、アンテナカバー部材３１を収納位置から無線使用位置まで移動させると、移動検知回路２５は移動検知信号を制御回路１６へ出力する。制御回路１６は、移動検知信号の入力に応じて以下で説明する動作を行う。
【００２７】
移動検知信号が入力された制御回路１６は、まず通信回路２３への通電を開始し、通信回路２３を不活性状態から活性状態へと遷移させる。これにより、通信回路２３を用いた無線ＬＡＮ通信が行えるようになる。続いて制御回路１６は、通信回路２３およびアンテナ２４を用いて、無線ＬＡＮ通信の通信先となるアクセスポイントを探索する。無線ＬＡＮ通信はデジタルカメラ１とアクセスポイントとの間で行われるので、利用可能なアクセスポイントが存在しなかった場合には無線ＬＡＮ通信を行うことができない。
【００２８】
利用可能なアクセスポイントが見つかった場合には、図５（ａ）に示す画面５１が液晶モニタ２０に表示される。このとき、画面５１に含まれるアイコン５１ａには、アクセスポイントとアンテナ２４との間の電界強度に応じて異なる表示が行われる。他方、利用可能なアクセスポイントが見つからなかった場合には、図５（ａ）に示す画面５２が液晶モニタ２０に表示され、アクセスポイントが見つからないため無線ＬＡＮ通信を行えないことをユーザに通知する。その後、通信回路２３は再び不活性状態となる。
【００２９】
なお、アクセスポイントが見つからなかったとき、アクセスポイントの探索を繰り返し行うようにしてもよい。この場合、例えば試行回数が所定回数に到達するまで繰り返し探索を行ってもよいし、ユーザがアンテナカバー部材３１を収納位置に戻すまで回数を定めず探索を繰り返してもよい。
【００３０】
アクセスポイントが見つかり画面５１を表示した場合、デジタルカメラ１は自身の状態に応じてその後に実行する処理を切り替える。以下、記録媒体２２に記録されている撮影画像を再生中であった場合と再生中ではなかった場合について順に説明する。
【００３１】
撮影画像を再生中であった場合には、図５（ｂ）に示す画面５３が液晶モニタ２０に表示される。画面５３は、撮影画像の転送先を選択する画面である。本実施形態におけるデジタルカメラ１は、撮影画像を所定のサーバに送信する機能と、撮影画像を添付した電子メールを所定のメールアドレス宛に送信する機能を備える。そのため、画面５３には転送先の候補として、所定のサーバとメールアドレスが一覧表示されている。ユーザは画面５３に表示された転送先候補の中から撮影画像の転送先を選択し、無線ボタン１３ａを押下する。無線ボタン１３ａが押下されると、ユーザが選択した転送先へ、再生中の撮影画像が通信回路２３により送信される。
【００３２】
次に、アクセスポイントが見つかったときに撮影画像を再生中ではなかった場合について説明する。撮影画像の再生中ではなかった場合、デジタルカメラ１は撮影動作を行うことが可能な撮影状態となる。ユーザがレリーズボタンを押下し撮影動作が行われると、記録媒体２２に新たな撮影画像が記録された後、液晶モニタ２０に図５（ｃ）に示す画面５４が表示される。画面５４は、撮影画像を無線ＬＡＮ通信により転送するか否かをユーザに問い合わせる画面である。ここでユーザが無線ボタン１３ａを押下すると、上記の撮影動作により記録媒体２２に記録された新たな撮影画像が、ユーザがあらかじめ選択しておいた転送先へ通信回路２３により送信される。
【００３３】
次に、アンテナカバー部材３１を無線使用位置へ移動させたときに実行される制御回路１６の処理の詳細について、図を用いて説明する。図６は、アンテナカバー部材３１を無線使用位置へ移動させたときに実行される制御回路１６の処理を示すフローチャートである。図６に示すフローチャートのプログラムは、フラッシュメモリ１８に記録されている。図６のフローチャートにおいて、ユーザによりアンテナカバー部材３１が無線使用位置に移動されると、本フローチャートの処理が開始する。
【００３４】
まずステップＳ１０では、制御回路１６は、通信回路２３への通電を開始し通信回路２３を活性状態とする。ステップＳ１１では、制御回路１６は、通信回路２３を用いて無線ＬＡＮ通信のアクセスポイントを探索する。ステップＳ１２では、制御回路１６は、アクセスポイントを発見し、画面５１（図５）を表示してユーザへ利用可能なアクセスポイントが見つかったことを通知する。なお、アクセスポイントが見つからなかった場合には、画面５２（図５）を表示して処理を終了する。
【００３５】
ステップＳ１３では、制御回路１６は、現在デジタルカメラ１が撮影画像の再生中か否かを判定する。撮影画像の再生中であった場合にはステップＳ１４へ進む。ステップＳ１４では、制御回路１６は、画面５３（図５）のように、撮影画像の転送先候補を液晶モニタ２０へ一覧表示する。ステップＳ１５では、制御回路１６は、ユーザにより転送先候補の中から撮影画像の転送先の選択を受け付け、ステップＳ１６では、制御回路１６は、ユーザにより無線ボタン１３ａが押下されたことを検出する。これによりステップＳ１７へ進み、制御回路１６は、再生中であった撮影画像を通信回路２３により転送先へ送信する。
【００３６】
他方、ステップＳ１３において撮影画像の再生中ではなかった場合にはステップＳ１８へ進む。ステップＳ１８では、制御回路１６は、ユーザによるレリーズボタンの押下に応じて撮影動作を実行する。ステップＳ１９では、制御回路１６は、ステップＳ１８の撮影動作により作成された撮影画像を液晶モニタ２０に表示し、その後画面５４（図５）のように、液晶モニタ２０に撮影画像を転送するか否かを問い合わせる画面を表示する。ステップＳ２０では、制御回路１６は、ユーザにより無線ボタン１３ａが押下されたことを検出するとステップＳ２１へ進み、制御回路１６は、ステップＳ１８の撮影動作により作成された撮影画像を通信回路２３により所定の転送先へ送信する。
【００３７】
なお、ステップＳ２１において、制御回路１６は、所定の転送先以外へ撮影画像を送信してもよい。この場合、例えばステップＳ２１の直前に、ステップＳ１４と同様に転送先を選択する画面を表示し、ユーザが転送先を選択できるようにしてもよい。また、ステップＳ１７で、再生中の撮影画像を転送するのではなく、ユーザが選択した複数枚の撮影画像を転送するようにしてもよい。また、ステップＳ１５，Ｓ１６において、ユーザによる所定の操作を所定時間受け付けなかった場合は、アクセスポイントとの通信を切断してもよい。
【００３８】
上述した第１の実施の形態によるデジタルカメラによれば、次の作用効果が得られる。
（１）アンテナ２４を内蔵し、収納位置と無線使用位置とに移動させることができるアンテナカバー部材３１は、収納位置にあるときには無線ボタン１３ａを遮蔽し、無線使用位置にあるときには無線ボタン１３ａを遮蔽しない。すなわち、アンテナカバー部材３１が収納位置にあるときには無線ボタン１３ａを操作不可能であり、アンテナカバー部材３１が無線使用位置にあるときには無線ボタン１３ａは操作可能である。これにより、無線操作を行わない場合の無線ボタン１３ａの誤操作が抑止される。
【００３９】
（２）アンテナカバー部材３１を無線使用位置に移動させると、移動検知回路２５により移動検知信号が制御回路１６へ出力され、制御回路１６がアクセスポイントの探索を開始する。これにより、無線ＬＡＮ通信の開始処理が、無線ＬＡＮ通信に不可欠なアンテナカバー部材３１の移動操作と一体となり、無線ＬＡＮ通信機能の使い勝手が向上する。
【００４０】
（３）撮影画像の再生中にアンテナカバー部材３１を無線使用位置へ移動させると、撮影画像の転送先を選択する画面が液晶モニタ２０に表示され、ユーザに転送先の選択を促す。これにより、特別なボタン操作なしで撮影画像の転送先を選択することができるので、操作性が向上する。
【００４１】
（４）撮影画像の再生中ではないときにアンテナカバー部材３１を無線使用位置へ移動させると、撮影動作の後に、撮影画像を転送するか否かをユーザへ問い合わせる。これにより、上記の問い合わせを行うか否かを別途メニュー等で設定する必要がなく、操作性が向上する。
【００４２】
（５）無線ＬＡＮ機能を利用する際にはアンテナカバー部材３１が常に無線使用位置へ移動している。すなわち、アンテナ２４が常にデジタルカメラ１の外装から遠ざかった場所に位置している。これにより、アンテナ２４を用いた無線ＬＡＮ通信の感度が向上する。
【００４３】
上述した第１の実施の形態では、アンテナカバー部材３１はガイドレール４３により上下に移動するよう構成されていた。以下に詳述する第２の実施の形態では、アンテナカバー部材３１は回転移動するよう構成される。
【００４４】
――第２の実施の形態――
図７は、アンテナカバー部材が収納位置にある状態の第２の実施の形態によるデジタルカメラの外観図である。図８は、アンテナカバー部材が無線使用位置にある状態の第２の実施の形態によるデジタルカメラの外観図である。図７および図８に示したデジタルカメラ１０１は、無線基板１３２を設置したアンテナカバー部材１３１を備える。アンテナカバー部材１３１は回転軸１６１を中心に３６０度回転するよう構成されている。
【００４５】
アンテナカバー部材１３１の側面には無線ボタン１１３ａ（図８）が設けられている。アンテナカバー部材１３１を無線使用位置に移動させると無線ボタン１１３ａが露出し、第１の実施の形態と同様に無線ボタン１１３ａを用いた操作が可能となる。このように、本発明は水平移動するアンテナカバー部材だけでなく、回転移動するアンテナカバー部材に対しても適用可能である。上述した第２の実施の形態によるデジタルカメラによれば、第１の実施の形態によるデジタルカメラと同様の作用効果が得られる。
【００４６】
次のような変形も本発明の範囲内であり、変形例の一つ、もしくは複数を上述の実施形態と組み合わせることも可能である。
（１）上述した実施の形態ではレンズ一体型のデジタルカメラについて説明したが、例えば一眼レフカメラなど交換レンズを用いる撮像装置についても本発明を適用可能である。
【００４７】
（２）アンテナカバー部材が収納位置にあるときには、アンテナカバー部材が金属製の外装に覆われるようにしてもよい。この場合、アンテナカバー部材を無線使用位置に移動するとアンテナが金属製の外装から露出するよう無線使用位置を定める。
【００４８】
（３）アンテナカバー部材の移動と通信回路２３への通電とを連動させなくてもよい。例えば、通信回路２３は常に活性状態とし、アンテナカバー部材の移動により状態が変更されることがないようにしてもよい。
【００４９】
（４）アンテナカバー部材を、デジタルカメラの側面以外に設けてもよい。例えばデジタルカメラの底面や上面にアンテナカバー部材を設けてもよい。
【００５０】
（５）アンテナおよび通信回路は、無線ＬＡＮ通信以外の通信方式を用いたものであってもよい。例えば、携帯電話網による通信を基地局との間で行うようにしてもよい。
【００５１】
（６）無線ボタンは、例えば接触を感知するタッチセンサなど、ボタン以外の操作部材であってもよい。
【００５２】
本発明の特徴を損なわない限り、本発明は上記実施の形態に限定されるものではなく、本発明の技術的思想の範囲内で考えられるその他の形態についても、本発明の範囲内に含まれる。
【図面の簡単な説明】
【００５３】
【図１】第１の実施の形態によるデジタルカメラの回路構成を示すブロック図である。
【図２】アンテナカバー部材３１が収納位置にある状態のデジタルカメラ１の外観図である。
【図３】アンテナカバー部材３１が無線使用位置にある状態のデジタルカメラ１の外観図である。
【図４】アンテナカバー部材３１の移動機構を示す断面図である。
【図５】液晶モニタ２０に表示される画面の例を示す図である。
【図６】アンテナカバー部材３１を無線使用位置へ移動させたときに実行される処理を示すフローチャートである。
【図７】アンテナカバー部材１３１が収納位置にある状態のデジタルカメラ１０１の外観図である。
【図８】アンテナカバー部材１３１が無線使用位置にある状態のデジタルカメラ１０１の外観図である。
【符号の説明】
【００５４】
１，１０１  デジタルカメラ
２４，１２４  アンテナ
３１，１３１  アンテナカバー部材
３２，１３２  無線基板
１３ａ，１１３ａ  無線ボタン
【図１】
2010093483.tif 000003
【図２】
2010093483.tif 000004
【図３】
2010093483.tif 000005
【図４】
2010093483.tif 000006
【図５】
2010093483.tif 000007
【図６】
2010093483.tif 000008
【図７】
2010093483.tif 000009
【図８】
2010093483.tif 000010